(57)【要約】【課題】  連続するチップの破損を確実に防止して、チップソー自体の寿命を延ばすことが可能な刈払いチップソーを提供する。【解決手段】  中心位置に刈払機への取付穴が穿設された円板状の台金と、該台金の外周縁部に所定間隔で形成された多数のチップ取付部と、該チップ取付部にそれぞれ固着されたチップと、を備える刈払いチップソーにおいて、台金の隣接するチップ取付部間に中心位置方向に窪んだ曲線状の歯室を形成すると共に、該歯室とその前方のチップ取付部との間にチップ連続破損防止手段を設けたことを特徴とする。前記チップ連続破損防止手段が、台金のチップ取付部の後端部に外周線方向に突出した略曲線状の凸部で形成される。【選択図】  図１
2007044023.tif 000002
【特許請求の範囲】
【請求項１】
中心位置に刈払機への取付穴が穿設された円板状の台金と、該台金の外周縁部に所定間隔で形成された多数のチップ取付部と、該チップ取付部にそれぞれ固着されたチップと、を備える刈払いチップソーにおいて、
前記台金の隣接するチップ取付部間に中心位置方向に窪んだ曲線状の歯室を形成すると共に、該歯室とその前方のチップ取付部との間にチップ連続破損防止手段を設けたことを特徴とする刈払いチップソー。
【請求項２】
前記チップ連続破損防止手段は、台金のチップ取付部の後端部に外周線方向に突出した略曲線状の凸部で形成されていることを特徴とする請求項１に記載の刈払いチップソー。
【請求項３】
前記凸部は、その外周縁が隣接するチップ取付部間を結ぶ外周線より外側でかつチップ先端部を結ぶ外周線より内側に位置することを特徴とする請求項３に記載の刈払いチップソー。
【請求項４】
前記チップ取付部の前端部とその前方の歯室との間に、外側に膨らんだ曲線状の草木絡みつき防止手段が設けられていることを特徴とする請求項１ないし３のいずれかに記載の刈払いチップソー。
【発明の詳細な説明】
【技術分野】
【０００１】  本発明は、例えば雑草、雑木、小竹等の植物（草木という）を刈り払いする際に使用される刈払いチップソーに関する。
【背景技術】
【０００２】  従来、この種の刈払いチップソーとしては、例えば特許文献１に開示されている。この刈払いチップソーは、図３に示すように、円板状の台金１０２の外周縁部１０３に、所定間隔で多数のチップ取付凹部１０４と、このチップ取付凹部１０４間に台金の中心方向に曲線状に窪んだ多数の歯室１０５（ガレット）とを形成し、各チップ取付凹部１０４内に超硬金属からなるチップ１０６をそれぞれロウ付け固着するようにしたものである。
【特許文献１】実開平６−７２３１９号公報
【発明の開示】
【発明が解決しようとする課題】
【０００３】  このような刈払いチップソーにおいては、台金１０２のチップ取付凹部１０４の後部外周線１０７が歯室１０５方向に向けて傾斜線となることにより、チップ１０６の先端が台金１０２の最外周線となるように設定されていることから、台金１０２の回転によるチップ１０６の回転で切れ味に優れた刈払いチップソーを得ることが可能になる。【０００４】  しかし、回転方向に連続する状態で固着されたチップ１０６間に、単に歯室１０５がそれぞれ設けられているのみであるため、この歯室１０５によりチップ１０６に石等の堅い物が当たった際の衝撃を緩和することはできるものの、例えばチップ１０６を破損するような堅い物が当接した場合に、その物が破損したチップ１０６に連続する次の（後方）のチップ１０６にも当接して、隣接する２つのチップ１０６を共に破損させてしまう場合がある。このような場合、単に１個のチップ１０６が破損した場合に比較して、刈払いチップソー自体の切れ味が数段劣ることになって、その寿命の低下を招き易くなる。また、衝撃が台金に直接伝わったり、草木が絡みやすく、かつ刈払機のエンジンへの負担が増加し易い。【０００５】  本発明は、このような事情に鑑みてなされたもので、その目的は、連続するチップの破損を確実に防止して、チップソー自体の寿命を延ばすこと等が可能な刈払いチップソーを提供することにある。
【課題を解決するための手段】
【０００６】  かかる目的を達成すべく、本発明のうち請求項１に記載の発明は、中心位置に刈払機への取付穴が穿設された円板状の台金と、該台金の外周縁部に所定間隔で形成された多数のチップ取付部と、該チップ取付部にそれぞれ固着されたチップと、を備える刈払いチップソーにおいて、前記台金の隣接するチップ取付部間に中心位置方向に窪んだ曲線状の歯室を形成すると共に、該歯室とその前方のチップ取付部との間にチップ連続破損防止手段を設けたことを特徴とする。【０００７】  また、請求項２に記載の発明は、前記チップ連続破損防止手段が、台金のチップ取付部の後端部に外周線方向に突出した略曲線状の凸部で形成されていることを特徴とし、この場合、前記凸部は、請求項３に記載の発明のように、その外周縁が隣接するチップ取付部間を結ぶ外周線より外側でかつチップ先端部を結ぶ外周線より内側に位置するように設けられる。さらに、請求項４に記載の発明は、前記チップ取付部の前端部とその前方の歯室との間に、外側に膨らんだ曲線状の草木絡みつき防止手段が設けられていることを特徴とする。
【発明の効果】
【０００８】  本発明の請求項１に記載の発明によれば、台金の外周縁部に形成された隣接するチップ取付部間に中心位置方向に窪んだ曲線状の歯室を形成すると共に、該歯室とその前方のチップ取付部との間にチップ連続破損防止手段が設けられているため、前方のチップに石等の堅い物が当接して当該チップを破損させたとしても、この前方のチップを破損した物が直後方のチップ連続破損防止手段に当接して外側に跳ね飛ばされて次のチップに当接することがなくなり、連続するチップの破損を確実に防止して、チップソー自体の寿命を延ばすこと等ができる。【０００９】  また、請求項２に記載の発明によれば、請求項１に記載の発明の効果に加え、チップ連続破損防止手段が、台金のチップ取付凹部の後端部に外周線方向に突出した略曲線状の凸部で形成されているため、チップ連続破損防止手段を台金に簡単に一体形成できて、コスト安価なチップソーを得ることができると共に、略曲線状の凸部で堅い物を一打して外側に跳ね飛ばすことができて、連続したチップの破損を一層確実に防止することができる。【００１０】  また、請求項３に記載の発明によれば、請求項２に記載の発明の効果に加え、チップ取付凹部の後端部に形成される凸部の外周縁が隣接するチップ取付部間を結ぶ外周線より外側でチップ先端部を結ぶ外周線より内側に位置するため、チップソーの切れ味を維持した状態で、石等の堅い物を凸部に確実に当接させて凸部後方のチップへの当接を防止し、連続するチップの破損をより一層確実に防止することができる。【００１１】  さらに、請求項４に記載の発明によれば、請求項１ないし３に記載の発明の効果に加え、チップ取付部の前端部とその前方の歯室との間に、外周線が外側に膨らんだ曲線状の草木絡みつき防止手段が設けられているため、台金回転時の草木の絡みつきを防止して、チップソーの切れ味を一層向上させることができる。
【発明を実施するための最良の形態】
【００１２】  以下、本発明を実施するための最良の形態を図面に基づいて詳細に説明する。
図１及び図２は、本発明に係わる刈払いチップソーの一実施形態を示し、図１がその平面図、図２がその要部の拡大図である。【００１３】  図１において、刈払いチップソー１（チップソー１という）は、円板状の台金２を有し、この台金２の中心位置には、図示しない刈払機への取付用の所定内径の取付穴３が形成されると共に、台金２の外周縁部４には、多数のチップ５が円周方向に例えば一定間隔で固着されている。【００１４】  このチップ５は、図２に示すように、超硬金属等によりすくい面５ａと逃げ面５ｂを有するように略角柱形状に形成され、このチップ５のすくい面５ａと逃げ面５ｂを除く例えば３つの固着面が、台金２の外周縁部４に形成した凹部状のチップ取付部６の３つの面に当接状態で、誘導加熱を利用したロウ付け等により固着されている。なお、台金２の所定の円環状部分には、反り防止や異音防止、軽量化等の目的で適宜内径の円孔７（図１参照）が必要に応じて複数個穿設されている。【００１５】  また、台金２のチップ取付部６の前端部（台金２の回転方向の前方端部）には、外側に膨らんだ曲線部８がそれぞれ形成されると共に、チップ取付部６の後端部（台金２の回転方向の後方端部）には、後方側に略円周方向に伸びた外周部９ａを介して当該円周方向に突出した凸部９がそれぞれ形成されている。この曲線部８により草木の絡みつき防止手段で構成され、全体的に曲線状に形成された凸部９によりチップ連続破損防止手段が構成されている。なお、曲線部８と凸部９との間には、台金２の中心位置方向（取付穴３方向）に向けて曲線状に窪んだ歯室１０がそれぞれ形成されている。【００１６】  そして、前記各凸部９は台金２自体に一体形成されて、その各先端部外縁を結ぶ外周線Ｌが、チップ５の刃先である先端部を結ぶ外周線Ｌ１より所定寸法ｄ１内側に位置すると共に、チップ取付部６の前端部を結ぶ外周線Ｌ２より所定寸法ｄ２外側に位置するように設定されている。また、凸部９は、隣接する前後のチップ５のうち、前方のチップ５側寄りに設けられて、後方のチップ５の前方に曲線部８を介して歯室１０が位置するようになっている。【００１７】  このチップソー１によれば、取付穴３を刈払機の回転軸に装着してエンジンを作動させると、図１及び図２の矢印イ方向に所定回転数で回転して、台金２の外周縁部４に固着したチップ５によって草木が刈り払いされる。この刈払い作業においては、チップ５の先端部を結ぶ外周線Ｌ１が台金２の最外周線に設定されると共に、この最外周線より凸部９が所定寸法ｄ１内側に位置しているため、凸部９がチップ５による草木の切断作用に悪影響を与えることはなく、チップソー１の回転により、チップ５の先端部により草木が良好に切断される。【００１８】  また、刈払い作業中において、チップ５の前方に曲線部８が設けられていることから、草木がこの曲線部８に当接すると、曲線に沿って草木がチップ５のすくい面５ａ方向に運ばれて、該チップ５によりスムーズに切断される。この時、切断できなかった草木が発生したとしても、曲線部８に沿って外側に払い除かれる状態となり、草木がチップ５に挟まって絡むことがなくなり、良好な切断状態が得られることになる。【００１９】  さらに、草木の刈払い作���中において、例えば小石等の堅い物がチップ５に当接すると、その衝撃が衝撃緩和室（空間）としての歯室１０により吸収されてチップ５の破損が抑えられ、この時、衝撃が歯室１０によって緩和されることから、台金２に衝撃が直接伝達されず、刈払機のエンジンや作業者に加わる振動を軽減することができる。【００２０】  また、刈払い作業中に、ある特定のチップ５に堅い物が当接して該チップ５が破損した時は、チップ５を破損した堅い物が、該チップ５の後方側に設けた凸部９により一打されて外周線Ｌの外側に跳ね飛ばされ、後方のチップ５への当接が防止される。この時、凸部９がチップ５の後方側に全体として曲線状に設けられると共に、チップ５の先端部を結ぶ外周線Ｌ１より内側でチップ取付部６の前端部を結ぶ外周線Ｌ２より外側に設けられていることから、堅い物を効果的に跳ね飛ばすことができて、後方側のチップ５への当接が確実に防止される。これにより、連続するチップ５の破損を防止して、チップソー１の寿命を延ばして長期に亘り良好な切れ味を維持でき、コストに有利なチップソー１が得られると共に、刈払い作業自体の安全性をも高めることができる。【００２１】  このように、上記実施形態のチップソー１よれば、各チップ取付部６間に、チップ連続破損防止手段としての凸部９、衝撃緩和室としての歯室１０、草木絡みつき防止手段としての曲線部８を連続してそれぞれ設けると共に、凸部９の位置を最外周線Ｌ１より内側で外周線Ｌ２より外側位置に設定しているため、草木の絡みつきのない良好な切れ味を維持しつつ、小石等による連続したチップ５の破損を確実に防止することができる。【００２２】  その結果、連続したチップ５の破損による切れ味劣化を抑制できて、チップソー１自体の寿命を延ばして長期に亘り使用することができる等、コスト的（経済的に）に有利なチップソー１の提供が可能となる。また同時に、安定した切れ味の維持により、刈払い作業を快適かつ迅速に行うことができると共に、堅い物の衝突による衝撃を緩和して、作業者に加わる振動を抑えることができる等、作業者への負担軽減を図ることも可能になると共に、エンジンへの負担を経験して刈払い機自体の寿命を延ばすこと等も可能となる。【００２３】  なお、上記実施形態においては、各チップ取付部６の後端部の凸部９の外周縁９ａを窪んだ曲線状に形成して、凸部９の全体を略曲線状に形成したが、本発明はこの形状に限定されず、例えば外周縁９ａを中央部分が窪んだ２つの直線で形成しても良いし、凸部９の先端を図２の二点鎖線ａで示すように完全半円弧形状とする等、全体として略曲線状を呈する適宜の形状に設定することができる。また、凸部９に、堅い物を跳ね飛ばす機能の他に、この凸部９に刃を形成して草木を刈り取る機能を付加しても良く、このようにすれば、凸部９により後方チップ５の保護と刈払い機能の両機能を持たせることができる。【００２４】  また、上記実施形態においては、各チップ取付部６の前端部に連続して設けられる曲線部８が、外側に膨らむ曲線形状としたが、例えば内側に窪んだ曲線部８としても良いし、上記実施形態における、凸部９の全体形状、チップ取付部６の個数、チップ５の形状等も一例であって、本発明に係わる各発明の要旨を逸脱しない範囲において適宜に変更することができる。
【産業上の利用可能性】
【００２５】  本発明は、凹部状のチップ取付部にチップが固着されるチップソーに限らず、例えば段差状のチップ取付部にチップを固着する各種形態のチップソーにも適用できる。
【図面の簡単な説明】
【００２６】
【図１】  本発明に係わる刈払いチップソーの平面図
【図２】  同その要部の拡大図
【図３】  従来の刈払いチップソーの図２と同様の拡大図
【符号の説明】
【００２７】  １・・・チップソー
２・・・台金
３・・・取付穴
４・・・外周縁部
５・・・チップ
５ａ・・・すくい面
５ｂ・・・逃げ面
６・・・チップ取付部
８・・・曲線部（草木絡みつき防止手段）
９・・・凸部（チップ連続破損防止手段）
９ａ・・・外周縁
１０・・・歯室
Ｌ・・・外周線
Ｌ１、Ｌ２・・・外周線。
【図１】
2007044023.tif 000003
【図２】
2007044023.tif 000004
【図３】
2007044023.tif 000005